【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
中間転写体を有する画像形成装置と、フルカラー画像形成に用いられるシアントナーａとシアントナーｂとを用いる画像形成方法において、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とする画像形成方法。
【請求項２】
該シアントナーａと該シアントナーｂを荷重９．８×１０-5Ｎで変形させたものを、更に９．８×１０-5Ｎの荷重を加えたときの弾性変形率（Ｅａ２）、（Ｅｂ２）がそれぞれ５５％以上であることを特徴とする請求項１に記載の画像形成方法。
【請求項３】
中間転写体を有する画像形成装置と、フルカラー画像形成に用いられるシアントナーａとシアントナーｂとを用いる画像形成装置において、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とする画像形成装置。
【請求項４】
フルカラー画像形成に用いられ、シアントナーａとシアントナーｂとを含有するシアントナーセットにおいて、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とするシアントナーセット。
【請求項５】
該シアントナーａおよび該シアントナーｂを荷重９．８×１０-5Ｎで変形させたものを、更に９．８×１０-5Ｎの荷重を加えたときの弾性変形率（Ｅａ２）、（Ｅｂ２）がそれぞれ５５％以上であることを特徴とする請求項４に記載のシアントナーセット。
【請求項６】
該シアントナーａおよび該シアントナーｂの円相当径２μｍ以上の粒子において、平均円形度が０．９２０〜０．９７０であることを特徴とする請求項４又は５に記載のシアントナーセット。
【請求項７】
中間転写体を有する画像形成装置と、フルカラー画像形成に用いられるマゼンタトナーａとマゼンタトナーｂとを用いる画像形成方法において、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とする画像形成方法。
【請求項８】
該マゼンタトナーａと該マゼンタトナーｂを荷重９．８×１０-5Ｎで変形させたものを、更に９．８×１０-5Ｎの荷重を加えたときの弾性変形率（Ｅａ２）、（Ｅｂ２）がそれぞれ５５％以上であることを特徴とする請求項７に記載の画像形成方法。
【請求項９】
中間転写体を有する画像形成装置と、フルカラー画像形成に用いられるマゼンタトナーａとマゼンタトナーｂとを用いる画像形成装置において、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とする画像形成装置。
【請求項１０】
フルカラー画像形成に用いられ、マゼンタトナーａとマゼンタトナーｂとを含有するマゼンタトナーセットにおいて、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とするマゼンタトナーセット。
【請求項１１】
該マゼンタトナーａおよび該マゼンタトナーｂを荷重９．８×１０-5Ｎで変形させたものを、更に９．８×１０-5Ｎの荷重を加えたときの弾性変形率（Ｅａ２）、（Ｅｂ２）がそれぞれ５５％以上であることを特徴とする請求項１０に記載のマゼンタトナーセット。
【請求項１２】
該マゼンタトナーａおよび該マゼンタトナーｂの円相当径２μｍ以上の粒子において、平均円形度が０．９２０〜０．９７０であることを特徴とする請求項１０又は１１に記載のマゼンタトナーセット。
【手続補正２】
【補正対象書類名】明細書
【補正対象項目名】００１２
【補正方法】変更
【補正の内容】
【００１２】
すなわち、
（１）中間転写体を有する画像形成装置と、フルカラー画像形成に用いられるシアントナーａとシアントナーｂとを用いる画像形成方法において、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とする画像形成方法に関する。
【手続補正３】
【補正対象書類名】明細書
【補正対象項目名】００１４
【補正方法】変更
【補正の内容】
【００１４】
（３）中間転写体を有する画像形成装置と、フルカラー画像形成に用いられるシアントナーａとシアントナーｂとを用いる画像形成装置において、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とする画像形成装置に関する。
【手続補正４】
【補正対象書類名】明細書
【補正対象項目名】００１５
【補正方法】変更
【補正の内容】
【００１５】
（４）フルカラー画像形成に用いられ、シアントナーａとシアントナーｂとを含有するシアントナーセットにおいて、
該シアントナーａは、少なくとも結着樹脂、着色剤、及びワックスを含有し、粉体状態における明度Ｌ*（ａ）が４５以上であり、
該シアントナーｂは、少なくとも結着樹脂、着色剤、及びワックスを含有し、粉体状態における明度Ｌ*（ｂ）が、シアントナーａの明度Ｌ*（ａ）より低く、
該シアントナーａとシアントナーｂの荷重９．８×１０-5Ｎに対する最大変位量をそれぞれＳａ、Ｓｂとし、塑性変位量をそれぞれＩａ、Ｉｂとしたとき、下式
Ｅａ＝（Ｓａ−Ｉａ）×１００／Ｓａ
Ｅｂ＝（Ｓｂ−Ｉｂ）×１００／Ｓｂ
で表される弾性変形率Ｅａ、Ｅｂが
０％≦｜Ｅａ−Ｅｂ｜≦１０％
を満たすことを特徴とするシアントナーセットに関する。
【手続補正５】
【補正対象書類名】明細書
【補正対象項目名】００１８
【補正方法】変更
【補正の内容】
【００１８】
（７）中間転写体を有する画像形成装置と、フルカラー画像形成に用いられるマゼンタトナーａとマゼンタトナーｂとを用いる画像形成方法において、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とする画像形成方法に関する。
【手続補正６】
【補正対象書類名】明細書
【補正対象項目名】００２０
【補正方法】変更
【補正の内容】
【００２０】
（９）中間転写体を有する画像形成装置と、フルカラー画像形成に用いられるマゼンタトナーａとマゼンタトナーｂとを用いる画像形成装置において、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とする画像形成装置に関する。
【手続補正７】
【補正対象書類名】明細書
【補正対象項目名】００２１
【補正方法】変更
【補正の内容】
【００２１】
（１０）フルカラー画像形成に用いられ、マゼンタトナーａとマゼンタトナーｂとを含有するマゼンタトナーセットにおいて、
該マゼンタトナーａは、少なくとも結着樹脂、着色剤、及びワックスを含有し、粉体状態における明度Ｌ*（ａ）が４５以上であり、
該マゼンタトナーｂは、少なくとも結着樹脂、着色剤、及びワックスを含有し、粉体状態における明度Ｌ*（ｂ）が、マゼンタトナーａの明度Ｌ*（ａ）より低く、
該マゼンタトナーａとマゼンタトナーｂの荷重９．８×１０-5Ｎに対する最大変位量をそれぞれ（Ｓａ）、（Ｓｂ）および塑性変位量をそれぞれ（Ｉａ）、（Ｉｂ）としたとき、の弾性変形率（Ｅａ）、（Ｅｂ）が下記式
Ｅａ＝（Ｓａ−Ｉａ）×１００／Ｓａ
Ｅｂ＝（Ｓｂ−Ｉｂ）×１００／Ｓｂ
０％≦｜Ｅａ−Ｅｂ｜≦１０％
を満たすことを特徴とするマゼンタトナーセットに関する。